(57)【要約】【課題】第１のハウジングに対し第２のハウジングを高精度に取り付けることができるハウジング取付構造及びそのハウジング取付構造を備えたハウジング構造並びにそのハウジング構造を備えた電子機器を提供すること。【解決手段】第１のハウジング１０２に対して第２のハウジング１０３を締結する締結手段１１を設ける。この締結手段は、ネジ１３と、前記第２のハウジングに設けられたネジ受け部１４と、前記第１のハウジングに設けられた前記ネジ受け部に対応するネジ穴部１５とを備え、前記第１のハウジングにおける前記ネジ穴部の内面側に前記ネジ受け部が位置するように前記第２のハウジングを配置し、前記ネジを前記ネジ穴部から差し込んで前記ネジ受け部に螺合させる。これにより、ネジの螺合によって第２のハウジングを第１のハウジングに引き寄せて取付位置を容易に調整することができる。【選択図】図３
2008075855.tif 000002
【特許請求の範囲】
【請求項１】
第１のハウジングに対して第２のハウジングを取り付けるハウジング取付構造であって、
前記第１のハウジングに対して前記第２のハウジングを締結する締結手段を設け、前記締結手段は、ネジと、前記第２のハウジングに設けられたネジ受け部と、前記第１のハウジングに設けられた前記ネジ受け部に対応するネジ穴部とを備え、前記第１のハウジングにおける前記ネジ穴部の内面側に前記ネジ受け部が位置するように前記第２のハウジングを配置し、前記ネジを前記ネジ穴部から差し込んで前記ネジ受け部に螺合させることを特徴とするハウジング取付構造。
【請求項２】
前記ネジ受け部は、少なくとも前記第２のハウジングの前面側の両側と中央に設けられていることを特徴とする請求項１に記載のハウジング取付構造。
【請求項３】
前記締結手段の締結方向と直交する方向に対して位置決めする係止手段を設けたことを特徴とする請求項１又は２に記載のハウジング取付構造。
【請求項４】
前記係止手段は、前記第２のハウジングに設けられたボス部と前記第１のハウジングに設けられたボス穴部とを備え、前記ボス部を前記ボス穴部に差し込んで位置決めすることを特徴とする請求項３に記載のハウジング取付構造。
【請求項５】
前記ボス部は二股形状に形成されていることを特徴とする請求項４に記載のハウジング取付構造。
【請求項６】
前記第２のハウジングは前記第１のハウジングの前面側から差し込まれて取り付けられるハウジング構造であって、
請求項１〜５の何れか一項に記載のハウジング取付構造を備えたことを特徴とするハウジング構造。
【請求項７】
請求項６に記載のハウジング構造を備えたことを特徴とする電子機器。
【発明の詳細な説明】
【技術分野】
【０００１】
本発明は、第１のハウジングに対して第２のハウジングを取り付けるハウジング取付構造及びそのハウジング取付構造を備えたハウジング構造並びにそのハウジング構造を備えた電子機器に関する。
【背景技術】
【０００２】
一般的に、電子機器の下側ケース（ハウジング）は、上側ケース（ハウジング）とスナップフィットにより取り付けられ、ネジにより固定されている。このスナップフィットは、下側ケースの内面に形成された突起状の第１係合部と、上側ケースの周縁部に形成された穴を有するアーム状の第２係合部とからなる。このような構成において、第１係合部に第２係合部が嵌め込まれることにより、下側ケースが上側ケースに取り付けられる。そして、下側ケースの下方から上方に向けてネジが螺合されて下側ケースが上側ケースに固定される（特許文献１参照）。
【０００３】
【特許文献１】特開２００３−２３９９２０号公報
【発明の開示】
【発明が解決しようとする課題】
【０００４】
上述したハウジングの取付構造は、スナップフィットの取付方向とネジの締結方向が異なるため、下側ケースと上側ケースとの取付位置精度が出し難い。このため、下側ケースと上側ケースとがずれて取り付けられたり、隙間が開いてしまう場合がある。
【０００５】
本発明は、上記のような課題に鑑みなされたものであり、その目的は、第１のハウジングに対し第２のハウジングを高精度に取り付けることができるハウジング取付構造及びそのハウジング取付構造を備えたハウジング構造並びにそのハウジング構造を備えた電子機器を提供することにある。
【課題を解決するための手段】
【０００６】
上記目的達成のため、本発明のハウジング取付構造では、第１のハウジングに対して第２のハウジングを取り付けるハウジング取付構造であって、前記第１のハウジングに対して前記第２のハウジングを締結する締結手段を設け、前記締結手段は、ネジと、前記第２のハウジングに設けられたネジ受け部と、前記第１のハウジングに設けられた前記ネジ受け部に対応するネジ穴部とを備え、前記第１のハウジングにおける前記ネジ穴部の内面側に前記ネジ受け部が位置するように前記第２のハウジングを配置し、前記ネジを前記ネジ穴部から差し込んで前記ネジ受け部に螺合させることを特徴としている。これにより、ネジの螺合によって第２のハウジングを第１のハウジングに引き寄せて取付位置を容易に調整することができる。更に、第２のハウジングを第１のハウジングに対して取付ける際の締結方向を取付位置精度を出す方向と一致させることにより、締結の度合いを調整することで高精度な取付位置を設定することができる。
【０００７】
また、前記ネジ受け部は、少なくとも前記第２のハウジングの前面側の両側と中央に設けられていることを特徴としている。これにより、第１のハウジングに対する第２のハウジングの反りを防止して取付位置精度を高めることができる。また、前記締結手段の締結方向と直交する方向に対して位置決めする係止手段を設けたことを特徴としている。これにより、直交二方向の第１のハウジングに対する第２のハウジングの取付位置精度を高めることができる。また、前記係止手段は、前記第２のハウジングに設けられたボス部と前記第１のハウジングに設けられたボス穴部とを備え、前記ボス部を前記ボス穴部に差し込んで位置決めすることを特徴としている。これにより、係止手段を簡易な構成とすることができる。また、前記ボス部は二股形状に形成されていることを特徴としている。これにより、二股の開拡方向の力により位置決め固定することができる。
【０００８】
上記目的達成のため、本発明のハウジング構造では、前記第２のハウジングは前記第１のハウジングの前面側から差し込まれて取り付けられるハウジング構造であって、上記各ハウジング取付構造を備えたことを特徴としている。また、上記目的達成のため、本発明の電子機器では、上記ハウジング構造を備えたことを特徴としている。これにより、上記各作用効果を奏するハウジング構造又は電子機器を提供することが可能である。
【発明を実施するための最良の形態】
【０００９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１０】
図１は、本発明の一実施の形態に係るハウジング取付構造を備えた電子機器である記録装置の外観構成の全体を示す斜視図、図２は、図１のハウジング取付構造を備えたハウジング構造を示す分解斜視図である。この記録装置はプリンタ、コピー及びスキャナの機能を有するインクジェット式複合機１００である。尚、以下の説明における左右方向、上下方向及び前後方向は、インクジェット式複合機１００を前面側から見たときの方向を示すものとする。
【００１１】
このインクジェット式複合機１００は、図１に示すように、全体が略直方体状のハウジング構造１０１で覆われている。このハウジング構造１０１が、本発明の特徴的な部分であるハウジング取付構造１０を備えている。そして、図１に示すように、ハウジング構造１０１の上面における前面側には操作部１１０が配設され、前面における図示左側にはメモリカードスロット部１２０が配設され、前面における図示右側にはディスクスロット部１３０が配設されている。更に、ハウジング構造１０１の上面における背面側には給紙部１４０が配設され、前面側には排紙部１５０が配設され、上面にはスキャナ１６０が配設されている。
【００１２】
ハウジング構造１０１は、図１及び図２に示すように、ミドルハウジング（第１のハウジング）１０２、スロットハウジング（第２のハウジング）１０３、パネルハウジング１０４及びオペレーションパネル１０５に分割されている。ミドルハウジング１０２は、図１に示すロワーハウジング１０６上に配設された図示しない記録部や用紙搬送部等を覆うと共に、図１に示すように、前面側に操作部１１０、メモリカードスロット部１２０、ディスクスロット部１３０及び排紙部１５０が配設され、背面側に給紙部１４０が配設され、更に上部にスキャナ１６０が配設される図２に示すような略箱状に形成されている。
【００１３】
スロットハウジング１０３は、図１に示すように、メモリカードスロット部１２０及びディスクスロット部１３０を覆うようにミドルハウジング１０２の前面側から差し込まれて取り付けられる図２に示すような垂直視断面が略コの字状に形成されている。パネルハウジング１０４は、図１に示すように、操作部１１０を覆うようにスロットハウジング１０３の上部に取り付けられる図２に示すような略平板状に形成されている。オペレーションパネル１０５は、図２に示すように、側面がスロットハウジング１０３の縁部に当接して位置決めされ、図１に示すように、パネルハウジング１０４を覆うように取り付けられる図２に示すような略平板状に形成されている。そして、ミドルハウジング１０２とスロットハウジング１０３が、本実施形態のハウジング取付構造１０により取り付けられている。尚、このハウジング取付構造１０の詳細については後述する。
【００１４】
操作部１１０は、図１に示すように、パネルハウジング１０４の上部中央に操作状態等を表示する液晶ディスプレイユニット１１１が装着されている。そして、この液晶ディスプレイユニット１１１の両側のオペレーションパネル１０５には、パワーをオン・オフするパワー系、用紙の頭出し等を操作したりインクのフラッシング等を操作する操作系、画像処理等を行う処理系等の複数のボタン１１２が配設されている。ユーザは、液晶ディスプレイユニット１１１を見て確認しながら各種のボタン１１２を操作することができるので、誤操作を防止することができる。
【００１５】
メモリカードスロット部１２０は、図１に示すように、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１６】
ディスクスロット部１３０は、図１に示すように、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１７】
給紙部１４０は、図１に示すように、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００１８】
排紙部１５０は、図１に示すように、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。次に、本発明の特徴的な部分であるハウジング取付構造１０について、更に図を参照して説明する。
【００１９】
図３は、ミドルハウジング１０２とスロットハウジング１０３の分解斜視図、図４は、図３のハウジング取付構造１０を前面側から見た分解斜視図、図５は、図３のハウジング取付構造１０を背面側から見た分解斜視図、図６は、ハウジング取付構造１０の取付状態を前面側から見た斜視図、図７は、ハウジング取付構造１０の取付状態を背面側から見た斜視図、図８は、ハウジング取付構造１０の第１の断面図、図９は、ハウジング取付構造１０の第２の断面図である。ハウジング取付構造１０は、図３に示すように、ミドルハウジング１０２とスロットハウジング１０３の前面側の両側と中央に設けられた締結手段１１と、ミドルハウジング１０２とスロットハウジング１０３の前面側の中央内部に設けられた係止手段１２を備えている。
【００２０】
締結手段１１は、図３に示すように、ネジ１３と、スロットハウジング１０３側に設けられたネジ受け部１４と、ミドルハウジング１０２側に設けられたネジ穴部１５を備えている。ネジ受け部１４は、図４及び図５に示すように、スロットハウジング１０３の前面下部にて後方へ突出するように形成された角穴１４ａを有する固定部１４ｂと、この固定部１４ｂの後部に突出するように形成されたメネジ部１４ｃを備えている。ネジ穴部１５は、図４及び図５に示すように、ミドルハウジング１０２の前面上部にて後方へ突出するように形成されたネジ穴１５ａを有する角柱状の固定部１５ｂと、この固定部１５ｂの後方に間隙をあけて形成された支持部１５ｃを備えている。
【００２１】
このような構成において、締結手段１１を締結する場合は、図４及び図５に示すように、スロットハウジング１０３をミドルハウジング１０２の前面側から差し込み、ミドルハウジング１０２のネジ穴部１５の上方にてスロットハウジング１０３のネジ受け部１４を位置合わせしてスロットハウジング１０３を降下させる。そして、図７及び図８に示すように、ネジ受け部１４の固定部１４ｂの角穴１４ａにネジ穴部１５の固定部１５ｂを挿入すると共に、ネジ受け部１４のメネジ部１４ｃをネジ穴部１５の固定部１５ｂと支持部１５ｃとの間に嵌め込む。最後に、図６及び図８に示すように、ネジ１３をネジ穴部１５のネジ穴１５ａに通して、ネジ受け部１４のメネジ部１４ｃに螺合して締結する。このように、ミドルハウジング１０２に対するスロットハウジング１０３の取付位置精度を出す前後方向に締結可能、即ちスロットハウジング１０３をミドルハウジング１０２に引き寄せて位置調整可能な締結手段１１をハウジング前部の中央及び両側に設けているので、各締結手段１１の締結状態を調整することにより、ミドルハウジング１０２に対するスロットハウジング１０３の反りを防止しつつ取付け位置精度を高めることができる。
【００２２】
係止手段１２は、図３に示すように、スロットハウジング１０３側に設けられたボス部１６と、ミドルハウジング１０２側に設けられたボス穴部１７を備えている。ボス部１６は、図４及び図５に示すように、スロットハウジング１０３の前面下部にて下方へ突出するように二股に分かれて形成されている。ボス穴部１７は、図４及び図５に示すように、ミドルハウジング１０２の前面上部にて上方へ向くように形成されている。
【００２３】
このような構成において、係止手段１２を係止する場合は、図４及び図５に示すように、スロットハウジング１０３をミドルハウジング１０２の前面側から差し込み、ミドルハウジング１０２のボス穴部１７の上方にてスロットハウジング１０３のボス部１６を位置合わせしてスロットハウジング１０３を降下させる。そして、図７及び図９に示すように、ボス穴部１７にボス部１６を嵌め込む。このとき、ボス部１６は、ボス穴部１７の縁部で一旦閉じた後にボス穴部１７の内部で開こうとするので、ミドルハウジング１０２に対するスロットハウジング１０３を二股の開拡方向の力により位置決め固定することができる。そして、ミドルハウジング１０２に対するスロットハウジング１０３の取付位置精度を出す左右方向に係止可能、即ちスロットハウジング１０３をミドルハウジング１０２に対して左右に移動しないように位置調整可能な係止手段１２をハウジング前部の中央内部に設けているので、ミドルハウジング１０２に対するスロットハウジング１０３の取付け位置精度を高めることができる。即ち、各締結手段１１と係止手段１２により、直交二方向のミドルハウジング１０２に対するスロットハウジング１０３の取付位置精度を高めることができる。
【００２４】
尚、上述した実施形態では、締結手段１１はミドルハウジング１０２とスロットハウジング１０３の前面側の両側と中央に設け、係止手段１２はミドルハウジング１０２とスロットハウジング１０３の前面側の中央内部に設けたが、これに限定されるものでは無く、直交二方向に締結及び係止するように、任意の場所に任意の数設けても良い。
【産業上の利用可能性】
【００２５】
ハウジング構造を備えた記録装置であれば、例えばファクシミリ装置、コピー装置、スキャナ等であっても適用可能である。また、記録装置に限らず、パネル構造を備えた一般的な電子装置にも適用可能である。
【図面の簡単な説明】
【００２６】
【図１】本発明の一実施の形態に係るハウジング取付構造を備えた電子機器である記録装置の外観構成の全体を示す斜視図である。
【図２】図１のハウジング取付構造を備えたハウジング構造を示す分解斜視図である。
【図３】図２のミドルハウジングとスロットハウジングの分解斜視図である。
【図４】図３のハウジング取付構造を前面側から見た分解斜視図である。
【図５】図３のハウジング取付構造を背面側から見た分解斜視図である。
【図６】ハウジング取付構造の取付状態を前面側から見た斜視図である。
【図７】ハウジング取付構造の取付状態を背面側から見た斜視図である。
【図８】ハウジング取付構造の第１の断面図である。
【図９】ハウジング取付構造の第２の断面図である。
【符号の説明】
【００２７】
１０  ハウジング取付構造、１１  締結手段、１２  係止手段、１３  ネジ、１４  ネジ受け部、１５  ネジ穴部、１６  ボス部、１７  ボス穴部、１００  インクジェット式複合機、１０１  ハウジング構造、１０２  ミドルハウジング、１０３  スロットハウジング、１０４  パネルハウジング、１０５  オペレーションパネル、１１０  操作部、１２０  メモリカードスロット部、１３０  ディスクスロット部、１４０  給紙部、１５０  排紙部
【図１】
2008075855.tif 000003
【図２】
2008075855.tif 000004
【図３】
2008075855.tif 000005
【図４】
2008075855.tif 000006
【図５】
2008075855.tif 000007
【図６】
2008075855.tif 000008
【図７】
2008075855.tif 000009
【図８】
2008075855.tif 000010
【図９】
2008075855.tif 000011